(57)【要約】【課題】  機器を十分に冷却することができるとともに省エネルギーにも貢献する機器収容用ラックおよび電算機室用空調システムを提供すること。【解決手段】  機器が収容され、前面から給気して上面または背面から熱を帯びた空気を排気する機器収容用ラックにおいて、前記ラック上面に、前記ラックの上面または背面から排出された空気の前記前面側への回り込みを阻止するエアカーテン生成ユニット１０が空気吹出口を上に向けた状態で設けられている。これによりラックの上面に障壁としてエアカーテンが生成され、ラック上面または背面から排気された空気がラック前面から吸い込まれることが防止される。【選択図】      図１
2005308345.tif 000002
【特許請求の範囲】
【請求項１】
機器が収容され、前面から給気して上面または背面から熱を帯びた空気を排気する機器収容用ラックにおいて、
前記ラック上面に、前記ラックの上面または背面から排出された空気の前記前面側への回り込みを阻止するエアカーテン生成ユニットが空気吹出口を上に向けた状態で設けられていることを特徴とする機器収容用ラック。
【請求項２】
前記エアカーテン生成ユニットの空気吸込口が前面を向いていることを特徴とする請求項１に記載の機器収容用ラック。
【請求項３】
機器が収容され、前面から給気して上面または背面から熱を帯びた空気を排気する機器収容用ラックにおいて、
前記ラック上面に、前記ラックの上面または背面から排出された空気の前記前面側への回り込みを阻止するエアカーテン生成ユニットが空気吹出口を前面に向けた状態で設けられていることを特徴とする機器収容用ラック。
【請求項４】
通路を挟んで両側に設置され、前面から給気して上面または背面から熱を帯びた空気を排気する機器収容用ラック群と、空気調和装置とを備え、前記空気調和装置から吹き出された冷却用空気が前記ラックに収容された機器を冷却した後、前記ラックの上方の空間を流動して前記空気調和装置に再び吸引される電算機室用空調システムにおいて、
前記機器収容用ラックは、請求項１から３のいずれかに記載の機器収容用ラックであることを特徴とする電算機室用空調システム。
【請求項５】
通路を挟んで両側に設置され、前面から給気して上面または背面から熱を帯びた空気を排気する機器収容用ラック群と、空気調和装置とを備え、前記空気調和装置から吹き出された冷却用空気が前記ラックに収容された機器を冷却した後、前記ラックの上方の空間を流動して前記空気調和装置に再び吸引される電算機室用空調システムにおいて、
前記ラック上面に、前記ラックの上面または背面から排出された空気の前記前面側への回り込みを阻止するエアカーテン生成ユニットが設けられ、
前記通路を挟んで一方側のラックに設けられた前記エアカーテンから吹き出された空気が、他方側に設けられた前記エアカーテン生成ユニットに吸い込まれることを特徴とする電算機室用空調システム。
【請求項６】
通路を挟んで両側に設置され、前面から給気して上面または背面から熱を帯びた空気を排気する機器収容用ラック群と、前記通路の外側に設けられ、上部から空気を吸引する空気調和装置とを備え、前記空気調和装置から吹き出された冷却用空気が前記ラックに収容された機器を冷却した後、前記ラックの上方の空間を流動して前記空気調和装置に再び吸引される電算機室用空調システムにおいて、
前記ラック群の前記空気調和装置側端部上面に、前記ラックの上面または背面から排出された空気の前記前面側への回り込みを阻止するエアカーテン生成ユニットが空気吹出口を前記空気調和装置方向に向けて設けられていることを特徴とする電算機室用空調システム。
【請求項７】
床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の前記床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、
前記通路の端部には、該通路の外の空気が該通路内へ侵入することを防ぐエアカーテン生成ユニットが設けられていることを特徴とする電算機室用空調システム。
【請求項８】
前記エアカーテン生成ユニットは、前記内部空間内の空気を吸い込んで吹き出すことを特徴とする請求項７に記載の電算機室用空調システム。
【請求項９】
前記エアカーテン生成ユニットは、前記通路内の床上近傍の空気を吸い込んで吹き出すことを特徴とする請求項７に記載の電算機室用空調システム。
【請求項１０】
前記エアカーテン生成ユニットは、前記通路を挟んで少なくとも二つ設けられ、一方のエアカーテン生成ユニットから吹き出された空気が他方のエアカーテン生成ユニットに吸い込まれることを特徴とする請求項７に記載の電算機室用空調システム。
【発明の詳細な説明】
【技術分野】
【０００１】
本発明は、電算機室に設置された機器収容用ラックおよび電算機等の機器を冷却する電算機室用空調システムに関する。
【背景技術】
【０００２】
ＯＡ機器や通信装置等は、高集約化・高発熱化の傾向にある。これらの機器の運用温度は比較的低く設定されているため、高温の空気を吸い込んだ場合、システム停止などのトラブルを引き起こす可能性がある。そのため、これらの機器は電算機室内に設置されたラックに収容され、二重床からの吹き出しによって効率良く機器に冷風を送り込むような方式を採用している。二重床吹き出し方式の電算機の場合、機器を搭載したラックは、大別して、前面から給気して背面や上面に排気しているものと、下面から給気して背面や上面に排気するものの２通りがある。
【０００３】
前面から給気する電算機室用空調システムの例を図２５に示した。
図は建物の室内で、床１、不図示の壁および天井で囲まれている。床１から上方に離間して二重床２が設けられ、その二重床２に複数台のラック３，３，…が設置されている。これらラック３群に挟まれて通路４が位置している。二重床２の下には空間（以下、二重床２の内部空間と称する）５が確保され、そこに各ラック３の電気配線（図示しない）などが収容される。また、通路４の外側において、二重床２上に空気調和装置６が設置されている。この空気調和装置６は、室内の空気を吸込口６ａから吸い込んで冷却し、その冷却後の空気を冷却用空気として底面に設けられた吹出口６ｂから送出する。なお、空気調和装置６の電気配線についても二重床２の内部空間５に収容される。二重床２の一部は通路４に位置して孔あきパネル７が設けられており、空気調和装置６から送出される冷却用空気が孔あきパネル７を通して二重床２上に給気されるようになっている。各ラック３は、筐体３ａの前面全体（給気面３ｂ）から冷却用空気を取り込み、上部または背面に設けられたファン３ｃから上方または背面方向に排気するようになっている。
【０００４】
次に、本空調システムの作用を説明する。ラック３の運転時はファン３ｃを動作するとともに空気調和装置６が運転され、空気調和装置６から送出される冷却用空気が二重床２の内部空間５に供給される。内部空間５に供給された冷却用空気は、空気調和装置６の送風圧およびファン３ｃの吸入圧を受けて、床面の孔あきパネル７を通り、さらにラック３前面の給気面３ｂを通り、ラック３の筐体３ａ内に送られる。ラック３の筐体３ａ内に送られた冷却用空気はその筐体３ａ内の発熱機器を冷却した後、上方または背面方向に放出される。この放出される空気は各ラック３の上方を通って空気調和装置６の吸込口６ａに吸い込まれ、再び冷却用空気となって吹き出される。
【特許文献１】特開平８−３０３８１５号公報
【特許文献２】特開平１０−４７７４７号公報
【発明の開示】
【発明が解決しようとする課題】
【０００５】
さて、近年電算機室等で使用している機器の発熱量が非常に大きくなってきており、このため、従来の想定を超える熱問題が生じている。すなわち、図２５の例のように発熱機器を前面吸込み方式のラック３に縦方向に搭載していった場合、符号Ａのようにラック上面や背面から排出される空気が給気面３ｂに回り込むことによって上部が暖まってしまったり、符号Ｂのように通路４の外側に冷気が流れ出したり外部の空気が通路４に流入するという問題がある。
【０００６】
本発明は上記事情に鑑みて成されたものであり、機器を十分に冷却することができるとともに省エネルギーにも貢献する機器収容用ラックおよび電算機室用空調システムを提供ことを目的としたものである。
【課題を解決するための手段】
【０００７】
本発明においては上記の課題を解決するために以下の手段を採用した。
請求項１に記載の発明は、機器が収容され、前面から給気して上面または背面から熱を帯びた空気を排気する機器収容用ラックにおいて、前記ラック上面に、前記ラックの上面または背面から排出された空気の前記前面側への回り込みを阻止するエアカーテン生成ユニットが空気吹出口を上に向けた状態で設けられていることを特徴とする。
【０００８】
本発明によれば、ラックの上面に障壁としてエアカーテンが生成され、ラック上面または背面から排気された空気がラック前面から吸い込まれることが防止される。
【０００９】
請求項２に記載の発明は、請求項１に記載の機器収容用ラックにおいて、前記エアカーテン生成ユニットの空気吸込口が前面を向いていることを特徴とする。
【００１０】
本発明によれば、天井からの下方に流れる暖かい空気は、通路に流入する前にエアカーテン生成ユニットに吸引されるから、ラックの前面に温風が降りてくることが防がれる。なお前面とはラックが設置されたときに通路側を向く方向である。
【００１１】
請求項３に記載の発明は、機器が収容され、前面から給気して上面または背面から熱を帯びた空気を排気する機器収容用ラックにおいて、前記ラック上面に、前記ラックの上面または背面から排出された空気の前記前面側への回り込みを阻止するエアカーテン生成ユニットが空気吹出口を前面に向けた状態で設けられていることを特徴とする。
【００１２】
本発明によれば、通路の上方に屋根のようにエアカーテンが生成されるから、ラック上面または背面から排気された空気がラック前面から吸い込まれることが防止される。
【００１３】
請求項４に記載の発明は、通路を挟んで両側に設置され、前面から給気して上面または背面から熱を帯びた空気を排気する機器収容用ラック群と、空気調和装置とを備え、前記空気調和装置から吹き出された冷却用空気が前記ラックに収容された機器を冷却した後、前記ラックの上方の空間を流動して前記空気調和装置に再び吸引される電算機室用空調システムにおいて、前記機器収容用ラックは、請求項１から３のいずれかに記載の機器収容用ラックであることを特徴とする。
【００１４】
請求項５に記載の発明は、通路を挟んで両側に設置され、前面から給気して上面または背面から熱を帯びた空気を排気する機器収容用ラック群と、空気調和装置とを備え、前記空気調和装置から吹き出された冷却用空気が前記ラックに収容された機器を冷却した後、前記ラックの上方の空間を流動して前記空気調和装置に再び吸引される電算機室用空調システムにおいて、前記ラック上面に、前記ラックの上面または背面から排出された空気の前記前面側への回り込みを阻止するエアカーテン生成ユニットが設けられ、前記通路を挟んで一方側のラックに設けられた前記エアカーテンから吹き出された空気が、他方側に設けられた前記エアカーテン生成ユニットに吸い込まれることを特徴とする。
【００１５】
本発明によれば、エアカーテンの気流方向が一方側から他方側となるように整えられ、より効果的にエアカーテンが生成される。
【００１６】
請求項６に記載の発明は、通路を挟んで両側に設置され、前面から給気して上面または背面から熱を帯びた空気を排気する機器収容用ラック群と、前記通路の外側に設けられ、上部から空気を吸引する空気調和装置とを備え、前記空気調和装置から吹き出された冷却用空気が前記ラックに収容された機器を冷却した後、前記ラックの上方の空間を流動して前記空気調和装置に再び吸引される電算機室用空調システムにおいて、前記ラック群の前記空気調和装置側端部上面に、前記ラックの上面または背面から排出された空気の前記前面側への回り込みを阻止するエアカーテン生成ユニットが空気吹出口を前記空気調和装置方向に向けて設けられていることを特徴とする。
【００１７】
本発明によれば、ラックから排出された空気は、空気調和装置に戻る過程においてエアカーテンにより下方に落ちることが防がれ、空気調和装置に戻る。またエアカーテンが空気調和装置方向へ空気を吹き出すから、ラックから空気調和装置への空気の流れが形成され、ラックから排出された空気が速やかに空気調和装置に戻る。
【００１８】
請求項７に記載の発明は、床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の前記床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、前記通路の端部には、該通路の外の空気の該通路内への侵入を防ぐエアカーテン生成ユニットが設けられていることを特徴とする。
【００１９】
本発明によれば、通路の端部を塞ぐ壁のようにエアカーテンが生成されるから、ラックから排気された空気が通路の端部を通じて通路に流入することが防がれる。また、通路内の冷却空気が通路の外に逃げることも防がれる。
【００２０】
請求項８に記載の発明は、請求項７に記載の電算機室用空調システムにおいて、前記エアカーテン生成ユニットは、前記内部空間内の空気を吸い込んで吹き出すことを特徴とする。
【００２１】
本発明によれば、エアカーテン生成ユニットによって内部空間の冷気によるエアカーテンが生成される。したがって上記のようにラックから排気された空気が通路へ流入することが防がれるとともに、内部空間内の冷気が上方で吹き出されるから、ラックの上部に温度の低い空気を供給することができ、ラック上部の温度をより効果的に下げることができる。
【００２２】
請求項９に記載の発明は、請求項７に記載の電算機室用空調システムにおいて、前記通路内の床上近傍の空気を吸い込んで吹き出すことを特徴とする。
【００２３】
本発明によれば、エアカーテン生成ユニットによって床上の冷気によるエアカーテンが生成される。したがって上記のようにラックから排気された空気が通路へ流入することが防がれるとともに、室内下部の冷気が上方で吹き出されるから、ラックの上部に温度の低い空気を供給することができ、ラック上部の温度をより効果的に下げることができる。また内部空間の冷気を直接使用しないから、エアカーテン生成ユニットより下流の内部空間へ十分な冷気を供給できる。
【００２４】
請求項１０に記載の発明は、請求項７に記載の電算機室用空調システムにおいて、前記エアカーテン生成ユニットは、前記通路を挟んで少なくとも二つ設けられ、一方のエアカーテン生成ユニットから吹き出された空気が他方のエアカーテン生成ユニットに吸い込まれることを特徴とする。
【００２５】
本発明によれば、エアカーテンの気流方向が一方側から他方側となるように整えられ、より効果的にエアカーテンが生成される。
【発明の効果】
【００２６】
本発明においては以下の効果を得ることができる。
ラックの上面または背面から排出された空気の前面側への回り込みがエアカーテンによって阻止されることで、熱を帯びた空気のショートサーキットが起き難くなってラック上部の温度上昇が抑えられる。したがって、ラックの上部であっても十分に機器を冷却することができ、省エネルギーにも貢献することができる。
【発明を実施するための最良の形態】
【００２７】
次に、本発明の各実施形態について、図面を参照して説明する。なお、従来と同一の構成については同一の符号を用い、その説明を省略する。
図１及び図２（ａ）に示したものはエアカーテン生成ユニットを備えた電算機室用空調システムの第１実施形態である。図のように、本実施形態においては、通路４を挟んで両側のラック３上面の通路４側縁部に、ラック３の上面または背面から排出された空気の給気面３ｂ（前面）側への回り込みを阻止するエアカーテン生成ユニット１０がそれぞれ設けられている。エアカーテン生成ユニット１０は、空気吹出口１０ａ（以下単に吹出口と呼ぶ。）を上に向け、空気吸込口１０ｂ（以下単に吸込口と呼ぶ。）を通路４側（ラック前面）に向けた状態で設けられている。
エアカーテン生成ユニット１０は吸込口１０ｂを通じて通路４側の空気を吸い込み、吹出口１０ａを通じて上方にエアカーテン１１を生成する。
【００２８】
本空調システムの動作時は、空気調和装置６から送出される冷却用空気が二重床２の内部空間５に供給される（図２５参照）。内部空間５に供給された冷却用空気は、空気調和装置６の送風圧およびファン３ｃの吸入圧を受けて、床面の孔あきパネル７を通り、さらにラック３前面の給気面３ｂを通り、ラック３の筐体３ａ内に送られる。ラック３の筐体３ａ内に送られた冷却用空気はその筐体３ａ内の発熱機器を冷却した後、上方または背面方向に放出される。
【００２９】
ラック３から排出された熱を帯びた空気１２は、エアカーテン１１によりラック３の前面側に回り込むことが防止される。そして図１の矢印１３で示したように空気調和装置６の吸込口６ａに吸い込まれ、再び冷却用空気となる。またエアカーテン１１の気流により天井１４に衝突して下方に流れる暖かい空気は、通路４に流れ込む前に吸込口１０ｂからエアカーテン生成ユニット１０に吸引される。
このように本空調システムではラック３から排出された熱を帯びた空気が給気面３ｂに回り込むことが防がれ、ラック３の上部が暖まってしまうという現象が防止される。したがって、機器を十分に冷却することができ、省エネルギーにも貢献することができる。
【００３０】
図２（ｂ）に示したものはエアカーテン生成ユニットを備えた電算機室用空調システムの第１実施形態の変形例である。この例では通路４を挟んで両側のラック３上面の通路４側縁部に、ラック３の上面または背面から排出された空気の給気面３ｂ（前面）側への回り込みを阻止するエアカーテン生成ユニット１０，１０’が設けられている。図２（ｂ）の左側のエアカーテン生成ユニット１０は、空気吹出口１０ａ（以下単に吹出口と呼ぶ。）を上に向け、空気吸込口１０ｂ（以下単に吸込口と呼ぶ。）を通路４側（ラック前面）に向けた状態で設けられているが、図２（ｂ）の右側のエアカーテン生成ユニット１０’は、空気吹出口１０’ａ（以下単に吹出口と呼ぶ。）を通路４側（ラック前面）に向け、空気吸込口１０ｂ（以下単に吸込口と呼ぶ。）を上に向けた状態で設けられている。
よって、エアカーテン生成ユニット１０、１０’により、エアカーテン生成ユニット１０の吸込口１０ｂを通じて通路４側の空気を吸い込み、吹出口１０ａを通じて上方に吹き出し、エアカーテン生成ユニット１０’の吸込口１０’ｂから上方の空気を吸い込み、エアカーテン生成ユニット１０’の吹出口１０’ａから通路４側に吹き出しエアカーテン１１’を生成する。
本空調システムの動作時は、空気調和装置６から送出される冷却用空気が二重床２の内部空間５に供給される（図２５参照）。内部空間５に供給された冷却用空気は、空気調和装置６の送風圧およびファン３ｃの吸入圧を受けて、床面の孔あきパネル７を通り、さらにラック３前面の給気面３ｂを通り、ラック３の筐体３ａ内に送られる。ラック３の筐体３ａ内に送られた冷却用空気はその筐体３ａ内の発熱機器を冷却した後、上方または背面方向に放出される。
【００３１】
ラック３から排出された熱を帯びた空気１２は、エアカーテン１１’によりラック３の前面側に回り込むことが防止される。そして図１の矢印１３で示したように空気調和装置６の吸込口６ａに吸い込まれ、再び冷却用空気となる。またエアカーテン１１’の気流により天井１４に衝突して下方に流れる暖かい空気は、通路４に流れ込む前に吸込口１０’ｂからエアカーテン生成ユニット１０’に吸引される。
この変形例の場合でもラック３から排出された熱を帯びた空気が給気面３ｂに回り込むことが防がれ、ラック３の上部が暖まってしまうという現象が防止される。したがって、機器を十分に冷却することができ、省エネルギーにも貢献することができる。
【００３２】
図３はエアカーテン生成ユニットを備えた電算機室用空調システムの第２実施形態である。
本実施形態においては、通路４を挟んで両側のラック３上面の通路４側縁部に、ラック３の上面または背面から排出された空気の給気面３ｂ（前面）側への回り込みを阻止するエアカーテン生成ユニット１５がそれぞれ設けられている。エアカーテン生成ユニット１５は、空気吹出口１５ａを互いに対向させた状態で設けられている。吸込口１５ｂは空気吹出口１５ａの下方に設けられ、同様に互いに対向状態となっている。
エアカーテン生成ユニット１５は吸込口１５ｂを通じて通路４側の空気を吸い込み、吹出口１５ａを通じて通路４の上方を覆う屋根のようにエアカーテン１６を生成する。
これにより、上記の例と同様にラック３から排出された熱を帯びた空気が給気面３ｂに回り込むことが防がれ、ラック３の上部が暖まってしまうという現象が防止される。したがって、機器を十分に冷却することができ、省エネルギーにも貢献することができる。
【００３３】
図４はエアカーテン生成ユニットを備えた電算機室用空調システムの第３実施形態である。
本実施形態においては、通路４を挟んで両側のラック３上面の通路４側縁部に、ラック３の上面または背面から排出された空気の給気面３ｂ（前面）側への回り込みを阻止するエアカーテン生成ユニット２０、２１がそれぞれ設けられている。通路４を挟んで一方側のエアカーテン生成ユニット２０の吹出口２０ａは、他方側のエアカーテン生成ユニット２１の吸込口２１ｂと対向状態となっており、同他方のエアカーテン生成ユニット２１の吹出口２１ａは、吸込口２１ｂの下方に位置し、一方側のエアカーテン生成ユニット２０の吸込口２０ｂと対向状態となっている。すなわち、一方側に設けられたエアカーテン生成ユニット２０から吹き出された空気が、他方側に設けられたエアカーテン生成ユニット２１に吸い込まれ、他方側に設けられたエアカーテン生成ユニット２１から吹き出された空気が、一方側に設けられたエアカーテン生成ユニット２０に吸い込まれるようになっている。これにより通路４の上方を覆う屋根のようにエアカーテン２２が生成される。
【００３４】
これにより、上記の例と同様にラック３から排出された熱を帯びた空気が給気面３ｂに回り込むことが防がれ、ラック３の上部が暖まってしまうという現象が防止される。さらにエアカーテンの気流が通路４を挟んで一方側から他方側、他方側から一方側にスムーズに流れることで、効率的にエアカーテンを生成することができる。
したがって、機器を十分に冷却することができ、省エネルギーにも貢献することができる。
【００３５】
図５はエアカーテン生成ユニットを備えた電算機室用空調システムの第４実施形態である。
本実施形態においては、通路４を挟んで両側のラック３上面に、エアカーテン生成ユニット２５、２６が設けられている。エアカーテン生成ユニット２５は、通路４を挟んで両側に並べて設けられたラック３群の空気調和装置６側端部上面にそれぞれ設けられ、エアカーテン生成ユニット２６は逆側の端部にそれぞれ設けられている。
エアカーテン生成ユニット２５は、吹出口２５ａを空気調和装置６側に向け、吸込口２５ｂを吹出口２５ａとは反対面に向けて設けられている。
エアカーテン生成ユニット２６は、吹出口２６ａをラック３群の外方に向け、吸込口２６ｂを吹出口２６ａとは反対面に向けて設けられている。
なお、本エアカーテン生成ユニット２５，２６はラックマウント型としてラック３に固定するようにしてもよいし、二重床２に延びる脚を設けた自立型とし、二重床２上に自立させる用にしてもよい。天井から吊り下げる方式としても良い。
【００３６】
これにより、空気調和装置６とラック３群との間の通路２７上方に、屋根のようにエアカーテン２８、２８が生成され、また、空気調和装置６と反対側の壁面２９とラック３群との間にエアカーテン３０，３０が生成される。
ラック３から排出された熱を帯びた空気１２は、空気調和装置６へ吸引される過程の通路２７上で、エアカーテン２８により下方に落ちることが防がれ、空気調和装置６に戻る。また空気調和装置６と反対側の壁面２９とラック３群との間でもエアカーテン３０により遮蔽されていることで熱を帯びた空気１２が下方に落ちることが防がれる。
【００３７】
これにより、上記の例と同様にラック３から排出された熱を帯びた空気が給気面３ｂに回り込むことが防がれ、ラック３の上部が暖まってしまうという現象が防止される。
さらにエアカーテン２８が空気調和装置６方向へ空気を吹き出すから、ラック３から空気調和装置６へ至る空気の流れが形成され、ラック３から排出された空気が速やかに空気調和装置６に戻される。したがって空気調和装置６とラック３群との間の空調空気の流れがスムーズとなり、空調効率を高めることができる。
以上のように、本実施形態の電算機室用空調システムによれば、機器を十分に冷却することができ、省エネルギーにも貢献することができる。
【００３８】
なお、本第４実施形態の変形例として、図６のように吸込口２５ｂ、２６ｂを上方に向けてもよい。また、図７のように吸込口２５ｂ、２６ｂを通路４側に向けてもよい。図５及び図６のように吸込口を背面または上面とした場合は、ラックの排気が吸い込まれることで排気がより速やかに空気調和装置６に戻され、図７のように通路４側に向けた場合は、通路４の冷気によりエアカーテンが生成されるから、エアカーテンの効率を向上させることができる。ここでは、エアカーテンの吹出口が直接空気調和装置６の方向を向かないようにする必要がある。
【００３９】
さらに図８のように吸込口２５ｂ、２６ｂを吹出口２５ａ、２６ａの下方の同じ面に設けてもよい。
また図９のように吸込口２５ｂ、２６ｂを吹出口２５ａ、２６ａの上方の同じ面に設けてもよい。
【００４０】
また、図１０に示したように空気調和装置６から遠い側のエアカーテン生成ユニット２６の吹出口２６ａは、上方を向いていてもよい。この場合でも壁面２９とラック３群との間の空間に熱を帯びた空気１２が流入することを防止できる。
また、図１１に示したように、エアカーテン生成ユニット２５，２６を、通路４を渡してそれぞれ統合したエアカーテン生成ユニット２５’、２６’としてもよい。この場合、室内の幅方向全体（通路２７の上方全体）に渡ってエアカーテン２８’、３０’が生成される。
【００４１】
また、図１２に示したように、第１実施形態と第４実施形態とを組み合わせてもよい。図は図１０の変形例と第１実施形態とを組み合わせた例である。この例では、気流をうまく分離することができる。
すなわち、ラック３から排出された空気１２は、エアカーテン１１によりラック３前面への回り込みが阻止され、空気調和装置６方向に流れる。そしてエアカーテン生成ユニット２５により生成されたエアカーテン２８により、通路２７に落下することなく空気調和装置６に導かれる。
このように構成されていることで、排気がラック３の給気面３ｂに回り込むことがより効果的に防止され、空気調和装置６とラック３群との間の空調空気の流れがさらにスムーズとなり、空調効率をより一層高めることができる。
【００４２】
図１３はエアカーテン生成ユニットを備えた電算機室用空調システムの第５実施形態である。
本例においては、通路４の端部には、該通路４の外の空気が該端部を通じて該通路４内へ侵入することを防ぐエアカーテン生成ユニット３５が設けられている。エアカーテン生成ユニット３５は、通路４を挟んで両側のラック３群端部側面に設けられ、互いに吹出口３５ａを向かい合わせた状態となっている。また吸込口３５ｂは、吹出口３５ａに対して反対側に設けられている。吹出口３５ａは二重床２上からラック３の上縁までの高さを有し、通路４の入口を塞ぐ壁のようにエアカーテン３６を生成する。
なお、本エアカーテン生成ユニット３５は、二重床２上に設置される自立型であってもよいし、ラック３に固定されるラックマウント型であってもよい。
【００４３】
本例によれば、エアカーテン生成ユニット３５の吸込口３５ｂから空気が吸い込まれ、吹出口３５ａから吹き出されることで、通路４の端部を塞ぐ壁のようにエアカーテン３６が生成される。したがってラック３から排気された空気が通路４の端部を通じて通路に流入することが防がれる。また内部空間５から吹き出された冷気が通路４の外に逃げることも防止される。
したがって、機器を十分に冷却することができ、省エネルギーにも貢献することができる。
【００４４】
図１４はエアカーテン生成ユニットを備えた電算機室用空調システムの第６実施形態である。
本例においては、通路４の端部であってラック３群の端部側面に、該通路４の外の空気の該通路４内への侵入を防ぐエアカーテン生成ユニット４０が設けられている。エアカーテン生成ユニット４０は、通路４を挟んで両側に設けられ、互いに吹出口４０ａを向かい合わせた状態となっている。また吸込口４０ｂは、エアカーテン生成ユニット４０の底面に設けられており、二重床２に設けられた孔２ａを通じて内部空間５内の冷気が吸込口４０ｂに吸い込まれるようになっている。
吹出口４０ａは二重床２上からラック３の上縁までの高さを有し、通路４の入口を塞ぐ壁のようにエアカーテン４２を生成する。
なお、本エアカーテン生成ユニット４０は、二重床２上に設置される自立型であってもよいし、ラック３に固定されるラックマウント型であってもよい。
【００４５】
本例によれば、エアカーテン生成ユニット４０の吸込口４０ｂから内部空間５内の冷気が吸い込まれ、吹出口４０ａから吹き出されることで、通路４の端部を塞ぐ壁のようにエアカーテン４２が生成される。したがってラック３から排気された空気が通路４の端部を通じて通路４に流入することが防がれ、また内部空間５から吹き出された冷気が通路４の外に逃げることも防止される。
さらに、エアカーテン４２は冷気により生成される。すなわち内部空間５内の冷気が上方で吹き出されるから、ラック３の上部に温度の低い空気を供給することができ、ラック３上部の温度をより効果的に下げることができる。
したがって、機器を十分に冷却することができ、省エネルギーにも貢献することができる。
【００４６】
図１５はエアカーテン生成ユニットを備えた電算機室用空調システムの第７実施形態である。
本例においては、通路４の端部であってラック３群の端部側面に、該通路４の外の空気の該通路４内への侵入を防ぐエアカーテン生成ユニット４５が設けられている。エアカーテン生成ユニット４５は、通路４を挟んで両側に設けられ、それぞれ上部に吹出口４５ａ、下部に吸込口４５ｂが設けられている。吹出口４５ａ、吸込口４５ｂは通路４を挟んで向かい合った状態となっている。
吹出口４５ａは高さ方向中央部の位置からラック３の上縁までの高さを有し、通路４の入口上部を塞ぐ壁のようにエアカーテン４７を生成する。
なお、本エアカーテン生成ユニット４５は、二重床２上に設置される自立型であってもよいし、ラック３に固定されるラックマウント型であってもよい。
【００４７】
本例によれば、エアカーテン生成ユニット４５の吸込口４５ｂから通路４下部の冷気が吸い込まれ、吹出口４５ａから吹き出されることで、通路４の端部を塞ぐ壁のようにエアカーテン４７が生成される。したがってラック３から排気された空気が通路４の端部を通じて通路に流入することが防がれ、また内部空間５から吹き出された冷気が通路４の外に逃げることも防止される。さらに、エアカーテン４７は二重床２上に吹き出された冷気により生成される。すなわちエアカーテン生成ユニット４５によってラック３の上部に温度の低い空気を供給することができ、ラック３上部の温度をより効果的に下げることができる。また内部空間５内の冷気を直接使用しないから、空気調和装置６の送風能力が十分でない場合でもエアカーテン生成ユニット４５よりも下流の内部空間へ十分な冷気を供給できる。
したがって、機器を十分に冷却することができ、省エネルギーにも貢献することができる。
【００４８】
図１６はエアカーテン生成ユニットを備えた電算機室用空調システムの第８実施形態である。
本例においては、通路４の端部であってラック３群の端部側面に、該通路４の外の空気の該通路４内への侵入を防ぐエアカーテン生成ユニット５０，５１が設けられている。エアカーテン生成ユニット５０，５１は、通路４を挟んでそれぞれ両側に設けられており、エアカーテン生成ユニット５０は、上部に吹出口５０ａ、下部に吸込口５０ｂを備え、エアカーテン生成ユニット５１は、上部に吸込口５１ｂ、下部に吹出口５１ａを備えている。エアカーテン生成ユニット５０の吹出口５０ａと吸込口５０ｂは、それぞれエアカーテン生成ユニット５１の吸込口５１ｂと吹出口５１ａとにそれぞれ通路４を挟んで向かい合った状態となっている。
【００４９】
吹出口５０ａおよび吸込口５１ｂは高さ方向中央部の位置からラック３の上縁までの高さを有し、通路４の入口上部を塞ぐ壁のようにエアカーテン５２を生成する。また吹出口５１ａおよび吸込口５０ｂは高さ方向中央部の位置から二重床２までの高さを有し、通路４の入口下部を塞ぐ壁のようにエアカーテン５３を生成する。
なお、本エアカーテン生成ユニット５０、５１は、二重床２上に設置される自立型であってもよいし、ラック３に固定されるラックマウント型であってもよい。
【００５０】
本例によれば、エアカーテン生成ユニット５０の吸込口５０ｂから通路４下部の冷気が吸い込まれ、吹出口５０ａから吹き出されることで、通路４の入口上部を塞ぐ壁のようにエアカーテン５２が生成される。また吹き出された空気はエアカーテン生成ユニット５１の吸込口５１ｂから吸い込まれ、吹出口５１ａから吹き出されることで、通路４の入口下部を塞ぐ壁のようにエアカーテン５３が生成される。したがってラック３から排気された空気が通路４の端部を通じて通路に流入することが防がれ、また内部空間５から吹き出された冷気が通路４の外に逃げることも防止される。さらに、エアカーテン５２は二重床２上に吹き出された冷気により生成される。すなわちエアカーテン生成ユニット５０によってラック３の上部に温度の低い空気を供給することができ、ラック３上部の温度をより効果的に下げることができる。また内部空間５内の冷気を直接使用しないから、空気調和装置６の送風能力が十分でない場合でもエアカーテン生成ユニット５０，５１よりも下流の内部空間へ十分な冷気を供給できる。
したがって、機器を十分に冷却することができ、省エネルギーにも貢献することができる。
【００５１】
図１７はエアカーテン生成ユニットを備えた電算機室用空調システムの第９実施形態である。
本例においては、通路４の端部には、該通路４の外の空気の該通路４内への侵入を防ぐエアカーテン生成ユニット５５が設けられている。エアカーテン生成ユニット５５は、通路４を跨いで両側のラック３の上縁と上縁との間に渡されて設けられ、下方に吹出口５５ａを向け、図の手前側（通路４の外側）に吸込口５５ｂを向けて設けられている。
【００５２】
なお、吸込口５５ｂの向きは温風の存在する上方でなければいずれの方向でもよい。
また、本エアカーテン生成ユニット５０は、脚を設け二重床２上に設置される自立型であってもよいし、ラック３に固定されるラックマウント型であってもよい。
本例によれば、エアカーテン生成ユニット５５の吸込口５５ｂから空気が吸い込まれ、吹出口５５ａを通じて下方に空気が吹き出されることで、通路４の入口を塞ぐ壁のようにエアカーテン５７が生成される。したがってラック３から排気された空気が通路４の端部を通じて通路に流入することが防がれ、また内部空間５から吹き出された冷気が通路４の外に逃げることも防止される。
したがって、機器を十分に冷却することができ、省エネルギーにも貢献することができる。
【００５３】
図１８に示したものはエアカーテン生成ユニットを備えた電算機室用空調システムの第１０実施形態である。本実施形態においては、上記の第９実施形態と比較して吸込口５５ｂが通路４側を向いている点で相違している。他の構成は第９実施形態と同様である。
本例においては、通路４内の冷却空気をエアカーテンとして用いるから、エアカーテンの効率を高めることができる。また通路４内の上部の空気を吸い込んで下方に吹き出すことで、通路４内の温度勾配を均一化することができる。
【００５４】
図１９はエアカーテン生成ユニットを備えた電算機室用空調システムの第１１実施形態である。
本例においては、通路４の端部には、該通路４の外の空気が該通路４内へ侵入することを防ぐエアカーテン生成ユニット６０が設けられている。エアカーテン生成ユニット６０は、通路４を跨いで両側のラック３の上縁と上縁との間に渡されて設けられ、下方に吹出口６０ａを向けたユニット本体６１と、ユニット本体６１に空気を導入する二つのダクト６２、６２とにより構成された門型形状となっている。ダクト６２は、下端が二重床２に接し、上端がユニット本体６１の両側部に接続している。ダクト６２の下端は吸込口６０ｂとなっており、二重床２に設けられた孔２ａを通じて内部空間５の冷気がダクト６２内に導入され、ユニット本体６１の両側部からユニット本体６１に取り込まれるようになっている。
なお、本エアカーテン生成ユニット６０は、二重床２上に設置される自立型であってもよいし、ラック３に固定されるラックマウント型であってもよい。
【００５５】
本例によれば、エアカーテン生成ユニット６０の吸込口６０ｂから空気が吸い込まれ、吹出口６０ａを通じて下方に空気が吹き出されることで、通路４の入口を塞ぐ壁のようにエアカーテン６３が生成される。したがってラック３から排気された空気が通路４の端部を通じて通路に流入することが防がれ、また内部空間５から吹き出された冷気が通路４の外に逃げることも防止される。
さらに、エアカーテン６３は冷気により生成される。すなわち内部空間５内の冷気が上方で吹き出されるから、ラック３の上部に温度の低い空気を供給することができ、ラック３上部の温度をより効果的に下げることができる。
したがって、機器を十分に冷却することができ、省エネルギーにも貢献することができる。
【００５６】
図２０はエアカーテン生成ユニットを備えた電算機室用空調システムの第１２実施形態である。
本例においては、通路４の端部には、該通路４の外の空気が該通路４内へ侵入することを防ぐエアカーテン生成ユニット６５が設けられている。エアカーテン生成ユニット６５は、通路４を跨いで両側のラック３の上縁と上縁との間に渡されて設けられ、下方に吹出口６５ａを向けたユニット本体６６と、ユニット本体６６に空気を導入する二つのダクト６７、６７とにより構成された門型形状となっている。ダクト６７は、下端が二重床２に接し、上端がユニット本体６６の両側部に接続している。ダクト６７の下部には、図面手前側（通路４の外側）に開口する吸込口６５ｂが設けられている。
なお、本エアカーテン生成ユニット６５は、二重床２上に設置される自立型であってもよいし、ラック３に固定されるラックマウント型であってもよい。
【００５７】
本例によれば、エアカーテン生成ユニット６５の吸込口６５ｂから空気が吸い込まれ、吹出口６５ａを通じて下方に空気が吹き出されることで、通路４の入口を塞ぐ壁のようにエアカーテン６８が生成される。したがってラック３から排気された空気が通路４の端部を通じて通路に流入することが防がれ、また内部空間５から吹き出された冷気が通路４の外に逃げることも防止される。
したがって、機器を十分に冷却することができ、省エネルギーにも貢献することができる。
【００５８】
図２１はエアカーテン生成ユニットを備えた電算機室用空調システムの第１３実施形態である。
本例においては、通路４の端部には、該通路４の外の空気が該通路４内へ侵入することを防ぐエアカーテン生成ユニット７０が設けられている。エアカーテン生成ユニット７０は、通路４を跨いで両側のラック３の上縁と上縁との間に渡されて設けられ、下方に吹出口７０ａを向けたユニット本体７１と、ユニット本体７１に空気を導入する二つのダクト７２、７２と、二重床２内に設けられた吸込ダクト７３とにより構成された門型形状となっている。ダクト７２は、下端が吸込みダクト７３に接続し、上端がユニット本体７１の両側部に接続している。吸込みダクト７３は二重床２内に埋め込まれ、吸込口７０ｂを備えた上面が二重床２に設けられた孔２ｂに露出している。
なお、本エアカーテン生成ユニット７０は、二重床２に設置される自立型であってもよいし、ラック３に固定されるラックマウント型であってもよい。
【００５９】
本例によれば、エアカーテン生成ユニット７０の吸込口７０ｂから空気が吸い込まれ、吹出口７０ａを通じて下方に空気が吹き出されることで、通路４の入口を塞ぐ壁のようにエアカーテン７４が生成される。したがってラック３から排気された空気が通路４の端部を通じて通路に流入することが防がれ、また内部空間５から吹き出された冷気が通路４の外に逃げることも防止される。
【００６０】
さらに、エアカーテン７４は冷気により生成される。すなわち二重床２近傍の冷気が吸い上げられて上方で吹き出されるから、ラック３の上部に温度の低い空気を供給することができ、ラック３上部の温度をより効果的に下げることができる。また内部空間５内の冷気を直接使用しないから、空気調和装置６の送風能力が十分でない場合でもエアカーテン生成ユニット７０よりも下流の内部空間へ十分な冷気を供給できる。
したがって、機器を十分に冷却することができ、省エネルギーにも貢献することができる。
【００６１】
なお、図２２に示したエアカーテン生成ユニットの第１４実施形態のように、上記の第１３実施形態に対して吹出口７０ａと吸込口７０ｂとを逆にしてもよい。他の構成は上記第１３実施形態と同様である。
【００６２】
図２３はエアカーテン生成ユニットを備えた電算機室用空調システムの第１５実施形態である。
本例においては、通路４の端部に位置して二重床２にエアカーテン生成ユニット７５が埋め込まれ、吹出口７５ａを備えた上面が二重床２に設けられた孔２ｂに露出している。エアカーテン生成ユニット７５の下面には吸込口７５ｂが設けられ、内部空間５の冷気を吸い込むようになっている。吹出口７５ａの幅は通路幅４とほぼ等しく構成されている。
【００６３】
本例によれば、エアカーテン生成ユニット７５の吸込口７５ｂから内部空間５内の冷気が吸い込まれ、吹出口７５ａから吹き出されることで、通路４の端部を塞ぐ壁のようにエアカーテン７７が生成される。したがってラック３から排気された空気が通路４の端部を通じて通路に流入することが防がれ、また内部空間５から吹き出された冷気が通路４の外に逃げることも防止される。さらに、エアカーテン７７は冷気により生成される。すなわちエアカーテン生成ユニット７５によってラック３の上部に温度の低い空気を供給することができ、ラック３上部の温度をより効果的に下げることができる。
したがって、機器を十分に冷却することができ、省エネルギーにも貢献することができる。
【００６４】
また第１６実施形態として、図２４にように構成してもよい。
本例においては、通路４の端部に位置して二重床２にエアカーテン生成ユニット８０が埋め込まれ、吹出口８０ａおよび吸込口８０ｂを備えた上面が二重床２に設けられた孔２ｃに露出している。吹出口８０ａおよび吸込口８０ｂの幅は通路幅４とほぼ等しく構成されている。
【００６５】
本例によれば、エアカーテン生成ユニット８０の吸込口８０ｂから二重床２上の冷気が吸い込まれ、吹出口８０ａから吹き出されることで、通路４の端部を塞ぐ壁のようにエアカーテン８２が生成される。したがってラック３から排気された空気が通路４の端部を通じて通路に流入することが防がれ、また内部空間５から吹き出された冷気が通路４の外に逃げることも防止される。さらに、エアカーテン８２は冷気により生成される。すなわちエアカーテン生成ユニット８０によってラック３の上部に温度の低い空気を供給することができ、ラック３上部の温度をより効果的に下げることができる。また内部空間５内の冷気を直接使用しないから、空気調和装置６の送風能力が十分でない場合でもエアカーテン生成ユニット８０よりも下流の内部空間へ十分な冷気を供給できる。
したがって、機器を十分に冷却することができ、省エネルギーにも貢献することができる。
【００６６】
なお、上記に示した各実施形態において、エアカーテン生成ユニットを自立型とする場合は、適宜脚を設けて二重床２上に自立させてもよいが、天井から吊り下げるように構成してもよい。この場合、エアカーテン生成ユニットが揺れないように、天井から下方に延びる支柱等に固定することが望ましい。
【図面の簡単な説明】
【００６７】
【図１】本発明の第１実施形態として示した電算機室用空調システムの斜視図である。
【図２】空気の流れについて示した電算機室の通路を示し、（ａ）は第１実施形態の正面図、（ｂ）はその変形例を示す正面図である。
【図３】本発明の第２実施形態として示した電算機室用空調システムについて、電算機室の通路を示した正面図である。
【図４】本発明の第３実施形態として示した電算機室用空調システムについて、電算機室の通路を示した正面図である。
【図５】本発明の第４実施形態として示した電算機室用空調システムの斜視図である。
【図６】同電算機室用空調システムの変形例として示した電算機室用空調システムの斜視図である。
【図７】同電算機室用空調システムの変形例として示した電算機室用空調システムの斜視図である。
【図８】同電算機室用空調システムの変形例として示した電算機室用空調システムの斜視図である。
【図９】同電算機室用空調システムの変形例として示した電算機室用空調システムの斜視図である。
【図１０】同電算機室用空調システムの変形例について示した斜視図である。
【図１１】同電算機室用空調システムの変形例について示した斜視図である。
【図１２】同電算機室用空調システムの変形例について示した斜視図である。
【図１３】本発明の第５実施形態として示した電算機室用空調システムの部分斜視図である。
【図１４】本発明の第６実施形態として示した電算機室用空調システムの部分斜視図である。
【図１５】本発明の第７実施形態として示した電算機室用空調システムの部分斜視図である。
【図１６】本発明の第８実施形態として示した電算機室用空調システムの部分斜視図である。
【図１７】本発明の第９実施形態として示した電算機室用空調システムの部分斜視図である。
【図１８】本発明の第１０実施形態として示した電算機室用空調システムの部分斜視図である。
【図１９】本発明の第１１実施形態として示した電算機室用空調システムの部分斜視図である。
【図２０】本発明の第１２実施形態として示した電算機室用空調システムの部分斜視図である。
【図２１】本発明の第１３実施形態として示した電算機室用空調システムの部分斜視図である。
【図２２】本発明の第１４実施形態として示した電算機室用空調システムの部分斜視図である。
【図２３】本発明の第１５実施形態として示した電算機室用空調システムの部分斜視図である。
【図２４】本発明の第１６実施形態として示した電算機室用空調システムの部分斜視図である。
【図２５】従来の電算機室用空調システムを示した斜視図である。
【符号の説明】
【００６８】
２  二重床
３  ラック
４  通路
５  内部空間
６  空気調和装置
１０、１０’  エアカーテン生成ユニット
１０ａ、１０’ａ  吹出口
１０ｂ、１０’ｂ  吸込口
１５  エアカーテン生成ユニット
１５ａ  吹出口
１５ｂ  吸込口
２０、２１  エアカーテン生成ユニット
２０ａ、２１ａ  吹出口
２０ｂ、２１ｂ  吸込口
２５、２６  エアカーテン生成ユニット
２５ａ、２６ａ  吹出口
２５ｂ、２６ｂ  吸込口
２５’、２６’  エアカーテン生成ユニット
３５  エアカーテン生成ユニット
３５ａ  吹出口
３５ｂ  吸込口
４０  エアカーテン生成ユニット
４０ａ  吹出口
４０ｂ  吸込口
４５  エアカーテン生成ユニット
４５ａ  吹出口
４５ｂ  吸込口
５０，５１  エアカーテン生成ユニット
５０ａ、５１ａ  吹出口
５０ｂ、５１ｂ  吸込口
５５  エアカーテン生成ユニット
５５ａ  吹出口
５５ｂ  吸込口
６０  エアカーテン生成ユニット
６１  ユニット本体
６２  ダクト
６０ａ  吹出口
６０ｂ  吸込口
６５  エアカーテン生成ユニット
６６  ユニット本体
６７  ダクト
６５ａ  吹出口
６５ｂ  吸込口
７０  エアカーテン生成ユニット
７１  ユニット本体
７２  ダクト
７０ａ  吹出口
７０ｂ  吸込口
７５  エアカーテン生成ユニット
７５ａ  吹出口
７５ｂ  吸込口
８０  エアカーテン生成ユニット
８０ａ  吹出口
８０ｂ  吸込口
【図１】
2005308345.tif 000003
【図２】
2005308345.tif 000004
【図３】
2005308345.tif 000005
【図４】
2005308345.tif 000006
【図５】
2005308345.tif 000007
【図６】
2005308345.tif 000008
【図７】
2005308345.tif 000009
【図８】
2005308345.tif 000010
【図９】
2005308345.tif 000011
【図１０】
2005308345.tif 000012
【図１１】
2005308345.tif 000013
【図１２】
2005308345.tif 000014
【図１３】
2005308345.tif 000015
【図１４】
2005308345.tif 000016
【図１５】
2005308345.tif 000017
【図１６】
2005308345.tif 000018
【図１７】
2005308345.tif 000019
【図１８】
2005308345.tif 000020
【図１９】
2005308345.tif 000021
【図２０】
2005308345.tif 000022
【図２１】
2005308345.tif 000023
【図２２】
2005308345.tif 000024
【図２３】
2005308345.tif 000025
【図２４】
2005308345.tif 000026
【図２５】
2005308345.tif 000027